(57)【要約】【課題】手動入力装置における不注意な操作を防止するための装置および方法【解決手段】  無線通信装置（１００）は手動入力装置（１２０、１２２）、キーロックメモリ（１０８）、そしてキーロックプロセッサ（１０４）を含む。プロセッサ（１０４）はメモリ（１０８）に記録された、使用者がプログラム可能であり手動入力装置（１２０、１２２）により要求される、自動的に機能抑止化しそして使用可能にする命令についての条件を規定する限定要素にアクセスする。プロセッサ（１０４）が機能抑止状態になったと決定した場合には、手動入力装置（１２０、１２２）は自動的に機能抑止になり、使用可能状態になるまで機能抑止状態に留まる。無線通信装置（１００）はさらに経過時間を測定するタイマ（１３０）、および手動入力装置（１２０、１２２）の状態を表示するラベルを示すディスプレイ（１２０）を含む。【選択図】  図２
2010136451.tif 000002
【特許請求の範囲】
【請求項１】
無線通信装置であって、
使用者の操作を検知する手動入力装置と、ここでこの手動入力装置は機能抑止状態と使用可能状態を有し、
手動入力装置が自動的に機能抑止状態におかれる第１の条件および手動入力装置が使用可能状態におかれる第２の条件を規定する所定の限定要素を記録するメモリと、そして
所定の限定要素を受信し分析するためにメモリに接続されたプロセッサとを含み、ここでこのプロセッサは第１の条件が満足されたと決定した場合には自動的に手動入力装置を機能抑止状態におき、第２の条件が満足されたと決定した場合には手動入力装置を使用可能状態におく
無線通信装置。
【請求項２】
さらに、経過時間を測定するためのタイマを含み、第１の条件は経過時間が所定の時間を超えた場合に満足される請求項１に記載の無線通信装置。
【請求項３】
所定の時間は手動入力装置の操作により使用者によりプログラム可能でありそしてメモリに記録される請求項２に記載の無線通信装置。
【請求項４】
さらに、手動入力装置が機能抑止状態におかれた場合には第１のラベルを、手動入力装置が使用可能状態におかれた場合に第２のラベルを表示するためにプロセッサに接続されたディスプレイを含む請求項１に記載の無線通信装置。
【請求項５】
手動入力装置はキーパッドを含む請求項１に記載の無線通信装置。
【請求項６】
第２の条件を規定するメモリに記録された所定の限定要素はキーパッドによるキー打ちの所定のシーケンスを含む請求項５に記載の無線通信装置。
【請求項７】
キー打ちの所定のシーケンスはキーパッドの操作により使用者によりプログラム可能である請求項６に記載の無線通信装置。
【請求項８】
手動入力装置は使用者が回転可能なスイッチ機構を含む請求項１に記載の無線通信装置。
【請求項９】
手動入力装置は電源スイッチを含み、第１の条件は無線通信装置に電力が入ることにより満足される請求項１に記載の無線通信装置。
【請求項１０】
第１の条件は無線通信装置をハンドフリーアクセサリ受け台から取外すことにより満足され、そして第２の条件は無線通信装置をハンドフリーアクセサリ受け台に置くことにより満足される請求項１に記載の無線通信装置。
【請求項１１】
無線通信装置の手動入力装置の偶発的な動作を防止する方法であって、
使用者がプログラム可能な第１の条件が満足された場合に、無線通信装置の動作の始動に対し手動入力装置を自動的に機能抑止し、そして
第２の条件が満足された場合に、無線通信装置の動作を始動するための手動入力装置を使用可能にする方法。
【請求項１２】
手動入力を自動的に機能抑止するステップは、
無線通信装置が使用されていない状態にあるかどうかを決定し、
携帯電話が使用されていない状態に入った時からの経過時間を測定し、そして
経過時間が所定時間を超えた場合に、手動入力の機能を抑止するステップを含む
請求項１１に記載の方法。
【請求項１３】
所定時間は使用者によりプログラム可能である請求項１２に記載の方法。
【請求項１４】
手動入力装置を自動的に機能抑止するステップは、
無線通信装置に最初に電力が投入されると手動入力装置を直ちに機能抑止するステップを含む請求項１１に記載の方法。
【請求項１５】
ディスプレイを有する無線通信装置を使用する請求項１１に記載の方法であって、
この方法はさらに手動入力装置が自動的に機能抑止にされたことを示すラベルを表示するステップを含む方法。
【請求項１６】
手動入力装置としてキーパッドを有する無線通信装置を使用する請求項１１に記載の方法であって、
キーパッドを使用可能にするステップがキーパッドによるキー打ちの所定のシーケンスが提供されたかどうかを決定するステップを含む方法。
【請求項１７】
キー打ちの所定のシーケンスは使用者がプログラム可能である請求項１６に記載の方法。
【請求項１８】
第１の条件は無線通信装置をハンドフリーアクセサリ受け台から取外すことにより満足され、そして第２の条件は無線通信装置をハンドフリーアクセサリ受け台に置くことにより満足される請求項１１に記載の方法。
【発明の詳細な説明】
【技術分野】
【０００１】
本発明は一般に無線通信装置に関するもので、特に、無線通信装置における偶発的な操作を防止するシステムおよび方法に関する。
【背景技術】
【０００２】
携帯電話（cellular telephone）のような現代の無線通信装置は、現在はベルトに都合よく留めるに十分なほど小さいか、ある場合には、ポケットまたはバッグ内に収めるのに十分なほどいっそう小さい。同時に、携帯電話はそれらのより大きい従来装置と比較して、追加の便利さを提供する多くのさらなる特徴を含む。全てとは限らないがこれらの特徴の多くは、メニューを順次動かすことおよび特定のオプションを選択することの双方に使用することのできる、キーパッドまたは２機能回転可能スイッチ（dual function rotatable switch）のような従来の手動入力装置（manual input device）を通してアクセスされそしてプログラムされる。かかる特徴の1例は使用者がプログラム可能な音量であり、電話をする者または話し手のために設定するこの音量は、一連のメニューをあれこれ動かしそしてキーパッドまたは回転可能なスイッチを使用して望ましい音量を選択することにより、プログラム可能である。従来の携帯電話に一般的に含まれる他の特徴は、メモリに記録された特定の電話番号を呼び出すためにキーパッドの個々のキーについてプログラムすることを認めることである。このようにして、その電話番号への電話の呼出しはキーパッドの信号キーを簡単に押すことにより開始可能となる。
【０００３】
携帯電話のより小さい寸法および追加の特徴により大きな携帯可能性および追加の利便性が提供されるとしても、これら２つの組合せは携帯電話の操作が偶発的に開始される可能性を発生させるものである。例えば、ベルトにクリップで留められた携帯電話はキーパッドのキーを押し下げる原因となるように偶然に物体と衝突するかもしれない。特定の電話番号にキーが電話の呼出しを開始するようにプログラムされている場合には、偶然に電話の呼出しが行われるであろう。偶然の電話呼出しを終了させない場合には、呼出しは確実にある時間の間継続するであろう。多くの携帯電話サービスが使用者に対し電話呼出しの長さによって課金することを考慮すると、偶然の電話呼出しは結果として手痛い間違いを引起こすことになるかもしれない。同様に、手動入力装置が偶然に始動した場合、ベルの音量のような使用者がプログラム可能な設定が偶然にプログラムされるかもしれない。これらの問題は携帯電話がポケットまたはバッグ内に携帯され、ある物体がキーパッドのキーを押しつけた場合にも生ずる。
【０００４】
キーが偶然に押し下げられるのを防止するために使用されてきた一つの方法は、携帯電話が使用されていない場合に携帯電話の本体にキーパッドの上部に配置されるような固いカバーを設けることである。しかしながら、かかる防止方法は携帯電話に張出し部分を追加し、そして２機能回転可能スイッチの偶発的な始動を防止するのには効果がないかもしれない。それ故に、携帯電話の手動入力装置が偶然に駆動された場合に、偶発的に動作する可能性の少ない携帯電話に関する必要性が重要なことを認識することができる。本発明は、以下に続く詳細な記載および添付の図面から明らかなように、このおよび他の利点を提供する。
【発明の概要】
【０００５】
本発明は手動入力装置に関し始動システム動作からの偶発的な命令を防止するキーロック機能（key lock function）を自動的に作動させることを目的とするシステムおよび方法を具体化する。このシステムは機能抑止状態（disable state）および使用可能状態（enable state）を有する手動入力装置と、手動入力装置を機能抑止状態に自動的に設定する状態を規定し、そしてさらに手動入力装置を使用可能状態に復帰させる状態を規定する、所定の限定要素（parameter）を記録するメモリを含む。このシステムはさらに、第１の条件が満足された場合には手動入力装置を自動的に機能抑止し、第２の条件が満足された場合には手動入力装置を使用可能にするために、メモリにアクセスし記録された限定要素を分析するプロセッサを含む。
【図面の簡単な説明】
【０００６】
【図１】図１は本発明による無線通信装置の機能的ブロック図である。
【図２】図２は図１の無線通信装置の動作を図示するフローチャートである。
【発明を実施するための形態】
【０００７】
本発明は、一般的に手動入力装置からの始動システム動作による偶発的な命令を防止するために、自動的に駆動されるキーロック機能を有する、携帯電話のような無線通信装置において具体化するシステムを提供する。それにもかかわらず、本システムはキーロック機能が活動している場合であっても、到来する電話呼出しを受信し続けることができる。キーロック機能は、このシステムが使用されておらず、そして使用者がプログラム可能な条件が満された場合に、使用者による人為的な介入の必要性なしに自動的に活性化し、そして非活性化の条件が満されるまでは活性化したまま留まるであろう。一般的に、本システムは、電力が入りそして使用のための準備が整ってはいるが進行中の通信が行われていない場合には、使用されていないと判断される。
【０００８】
例え従来の携帯電話が多くの場合本発明のキーロック機能と同様の機能を含むとしても、それらは使用者がプログラム可能な限定要素により規定された状態が満された場合において自動的に活性化されるものではない。従来の携帯電話の場合には、もし使用者がキーロック機能の人手による活性化を忘れてしまった場合には、それは未だに手動入力装置からの偶発的な入力により偶然的な動作を行う可能性を有する。
【０００９】
本発明は図１の機能ブロック図に示されるシステム１００により具体化される。このシステム１００はこのシステムの動作を制御する中央処理ユニット（ＣＰＵ  central processing unit）１０２を含む。ＣＰＵ１０２はシステム１００の動作を含む全てのタスクを実行するか、またはこれらの部分のみを実行し、残りのタスクはシステム１００に含まれる他の処理ユニットに委ねることもできる。例えばシステム１００はＣＰＵ１０２に加えキーロック命令を処理するためのキーロックプロセッサ１０４を含むことができる。
【００１０】
システム１００はまた読み出し専用メモリ（ＲＯＭ  read-only memory）およびランダムアクセスメモリ（ＲＡＭ）の双方を含むことの可能なメモリ１０６を含む。メモリ１０６の一部は、システム１００について電力の消費量を上げることを表示する必要があるとの情報を記録するために、さらに不揮発性ランダムアクセスメモリを含むことも可能である。メモリ１０６は通常ＣＰＵ１０２による処理のための指示およびデータを記録するために使用される。
【００１１】
システム１００はまたキーロック機能に関するデータを記録するために割り当てられたキーロックメモリ１０８を含む。キーロックメモリ１０８の一部は、さらにメモリ１０６のような不揮発性ランダムアクセスメモリを含むことが可能であり、キーロック機能の自動的な活性化および非活性化に関する情報は、システム１００の電力を入れる度に再プログラムする必要はない。代わりに、キーロックメモリ１０８をメモリ１０６の一部とすることも可能である。
【００１２】
またシステム１００は、システム１００とセルサイト（cell site）制御器（示されていない）のような遠くはなれた位置との間での、音声通信におけるデータの送信および受信を可能とする送信機１１２および受信機１１４を含むハウジング１１０を含むことができる。送信機１１２および受信機１１４はトランシーバ１１６に組込むことが可能である。アンテナ１１８がハウジング１１０に取付けられ、トランシーバ１１６と電気的に結合されている。送信機１１２、受信機１１４およびアンテナ１１８はこの技術分野において既知であり、ここで記載する必要はない。例え図１においてアンテナ１１８がハウジング１１０から延在していることを示しているとしても、ある設計ではハウジング内に完全に含まれる内部アンテナを含むことができる。しかしながら、送信機１１２、受信機１１４およびアンテナ１１８はアンテナの位置に関係なく従来の方法で動作する。
【００１３】
従来の方法により使用者による操作のためにハウジング１１０にキーパッド１２０のような手動入力装置が取付けられる。キーパッド１２０はそれによって使用者が目的とする電話番号および命令を入力できる好適な入力装置を提供する。システム１００はさらに、使用者が選択メニューオプションは勿論のこと操作メニューについて順次動かすことが可能な２目的回転可能スイッチ（dual-purpose rotatable switch）１２２のような他の追加の手動入力装置を含む。既知の具体例において、スイッチ１２２は使用者により特別の機能または設定を選択するために回転させられる。選択された機能および設定はプッシュボタンスイッチのようなスイッチ１２２を押圧することにより活性化することができる。以下により詳細に記載するように、自動的に活性化されたキーロック機能は、システム１００のいくつかのまたは全ての手動入力装置を閉止することにより、偶発的に始動するシステム動作に対し保護をする。
【００１４】
システム１００はまた、目的地の電話番号および英数字による本文のような、使用者が入力するデータと同様に、使用者に指示を表示するために好適に使用可能なディスプレイ１２４を含む。ディスプレイ１２４に示される情報はシステム１００の操作において使用者を助ける目に見える合図を提供する。システム１００の事例としての具体例において、ディスプレイ１２４は、キーロック機能が活性化されたかまたは非活性化されたかのような、キーロック機能に関する情報を表示するであろう。
【００１５】
システム１００はさらに一般的にＣＰＵ１０２に含まれるであろうタイマ１３０を含む。下記において極めて詳細に述べるように、システム１００は、キーロック機能が自動的に始動する前の時間の長さを測定するために、タイマ１３０を使用する。
【００１６】
システム１００の種々の部品は、データバスに加え、電力バス、制御信号バス、および状態信号バスを含むことが可能なバスシステム１３４により互いに結合されている。しかしながら、明快さの理由により、種々のバスはバスシステム１３４として図１に示されている。
【００１７】
システム１００はまた従来の携帯電話に見られる多くの他の部品を含むが、明快さの理由から図１から省略されている。例えば、この技術分野の当業者はシステム１００がさらに双方向音声通信を提供するためのスピーカやマイクロフォン、およびシステム１００に電力を供給するバッテリのようないくつかの従来部品を含むことを認識するであろう。
【００１８】
キーロック機能を自動的に活性化するための条件、同様に自動的に非活性化するための条件は、使用者によってプログラムされ、キーロックメモリ１０８に記録される。プログラムは一般にキーパッド１２０またはスイッチ１２２の使用を介して実行される。キーロック非活性化条件は典型的にはキーパッド１２０への連続するキース打ちで表現するコードであり、そしてこれ以後「非活性化コード」または非活性化条件として置換え可能に参照されるであろう。キーロック活性化および非活性化条件を規定する限定要素がプログラムされた後、キーロックプロセッサ１０４はキーロックメモリ１０８に記録された限定要素にアクセスし、キーロック機能に対する活性化および非活性化条件を設定するためにそれらを分析する。キーロックプロセッサ１０４が活性化条件が適合された旨の決定をしたとき、キーロック機能は自動的に活性化され、そして非活性化コードが提供されるまでは活性化されたまま留まるであろう。
【００１９】
先に延べたように、キーロック機能が活性化されている場合、システム１００は今まで通り到来する電話呼出しを受信することができる。このことはキーロック機能が活性化されている間、キーパッドの特定のキーは機能し得る状態に留まることを必要とするであろう。例えば、ＳＥＮＤキーは機能し得る状態に留まり、到来する電話呼出しが受信された場合にそれが押された場合は、システム１００は到来した電話呼出しに応答するであろう。代わって、キーロック機能が活性化されている場合、システム１００は未だに９１１のような緊急事態の電話番号を発信する呼出しを始動可能である。
【００２０】
一度キーロック機能が活性化されると、キーパッド１２０またはスイッチ１２２の偶発的または誤った動作によりシステム１００の動作は始動しない。キーパッド１２０または１２２からの命令によって始動される抑制動作は従来の方法によって実行することができる。キーロック機能の実際上の効果はキーロックプロセッサ１０４が手動入力装置を自動的に機能抑止状態または使用可能状態のいずれかに置くことにある。この技術分野の当業者は、入力装置が機能的（functionally）にその機能が抑止されまたは使用可能になるのではなく、単にシステム動作の始動ができなくなるものであることを認識するであろう。例えば、プログラムされたキーを偶然に押圧することによる特定の番号に対する電話呼出しの偶発的な始動はキーパッド１２０が事実上無力化されているために起こり得ない。しかしながら、キーパッド１２０は未だに非活性化コードを入力として受信可能である。キーロック機能が非活性化された場合、キーパッド１２０は使用可能状態に戻り、システムの動作はキーパッド１２０またはスイッチ１２２のいずれかの動作を通して再び始動される。このように、キーロック機能が活性化されている場合には、キーパッド１２０は操作上の観点からは機能抑止の状態にあることが明らかであり、そして一度キーロック機能が非活性化された場合には、キーパッド１２０は使用可能な状態に戻るであろう。
【００２１】
その後でキーロック機能が活性化される、使用者がプログラム可能な時間のような、キーロック活性化条件は使用者により複数の方法でプログラムすることが可能である。一実施の形態において、使用者によるプログラム化は、使用者に対して表示される予めプログラムされた活性化状態の選択対象から選択することにより行われる。これらは自動的に活性化するキーロック機能として、（１）システム１００が使用されない状態になった後、そしてキーパッド１２０またはスイッチ１２２のいずれかからの入力が１５秒ない場合、（２）システム１００が使用されない状態になった後、そしてキーパッド１２０またはスイッチ１２２のいずれかからの入力が３０秒ない場合、（３）システム１００がハンドフリーアクセサリ受け台（hands-free accessory cradle）から取外された場合、（４）システム１００に最初に電力が投入さた場合の直後の場合、のような状態を含むことができる。状態（１）および（２）の時間遅延は単なる例であり、本発明を限定することを意図するものでない。使用者により望みの状態が選択された後、この限定要素はキーロックプロセッサ１０４によりアクセスするためにキーロックメモリ１０８内に記録されるであろう。
【００２２】
他の実施の形態において、キーロック機能を自動的に活性化する前の特定の遅延時間を使用者がプログラムするオプションを提示することに加え、キーロック活性化条件は使用者がシステム１００により提供される選択対象から選択することができる。このように提案する選択がいずれも望ましくない場合には、キーパッド１２０またはスイッチ１２２のいずれかにより、最後の入力に続く正確な時間がプログラムされ、キーロックメモリ１０６内に記録される。上で提示された３つのオプションのいずれもが満足できるものでない場合、例えば使用者は４５秒の遅延時間をプログラムすることができる。
【００２３】
非活性コードをプログラムすることは活性化条件をプログラムするのと同様の方法で実行可能である。例えば、デフォルト非活性化コード（default deactivation code）をシステム１００によって提供することが可能である。使用者の非活性化を助けるために、キーロック機能が活性化された場合に、デフォルトコードをディスプレイ１２４に示すことができる。また非活性化コードは複数の利用可能な予め定められたコードから使用者により選択される。他のオプションは使用者によりプログラムされる特定の非活性化コードを許容するであろう。かかるオプションはシステム１００に関する認可されていないおよび偶発的な動作の双方を防止する自動的に活性化される安全確保型の機能を提供する。システム１００をハンドフリーアクセサリ受け台から取外した場合にキーロック機能が活性化するようにプログラムされた場合、システム１００をハンドフリーアクセサリ受け台内に置いた場合にそれはまた都合良く非活性化するようにプログラムすることができる。
【００２４】
システム１００の動作が図２のフローチャートにさらに詳細に記載されている。スタート１５０において、キーロック機能が自動的に活性化される条件を規定する限定要素は既にキーロックメモリ１０８内にプログラムされている。現在の例において、キーロック機能のためにユーザにより選択された自動的に活性化される活性化条件は、システム１００が使用されなくなった後であり、そしてキーパッド１２０またはスイッチ１２２からの最後の入力の３０秒後である。キーロックプロセッサ１０４はキーロックメモリ１０８からこれらの限定要素にアクセスし、ステップ１５２において使用しない状態（idle state）を入力するためシステム１００について監視を開始する。ステップ１５４においてキーロックプロセッサ１０４がシステム１００が使用しない状態に入ったことを検出した場合、ステップ１５６においてキーロックプロセッサ１０４は経過した時間の測定を開始するためにタイマ１３０をリセットしそして活性化する。
【００２５】
ステップ１６０において、キーロックプロセッサ１０４は経過時間がキーロックメモリ１０８内にプログラムされた所定時間を超えるのを待つ。今の例において、キーロック機能を活性化する前の所定時間は３０秒である。経過時間が３０秒に達する前に、キーパッド１２０またはスイッチ１２２のいずれかからの入力が検出された場合には、キーロックプロセッサ１０４は経過時間の測定を開始するために、システム１００が使用されない状態に戻るまで再び待たなければならない。使用されない状態に戻る前の長い遅延は、通常システム１００が使用者により操作されていることを示す。しかしながら、ステップ１５４においてシステム１００が使用されていない状態にすばやく戻る場合には、このことはキーパッド１２０またはスイッチ１２２からの入力は偶発的なものであったことがより本当らしいことを示す。偶発的な入力の場合には、キーロックプロセッサ１０４はシステム１００が使用されていない状態に戻ることを迅速に検出し、そして再びリセットし、そしてタイマ１２６を経過時間の測定を開始するように活性化するであろう。
【００２６】
キーパッド１２０またはスイッチ１２２から何らの入力もなく経過時間が３０秒に達した場合には、キーロックプロセッサ１０４はステップ１６４においてキーロック機能を活性化する。一度キーロック機能が活性化されると、キーパッド１２０またはスイッチ１２２から何らの入力がシステム１００の動作を始動可能にする前に、比活性化コードが検出されなければならない。先に延べたように、キーロック機能の実際の効力はキーロックプロセッサ１０４が手動入力装置を機能抑止または使用可能な状態に自動的に置くことにあり、即ち、入力装置は機能的に機能抑止状態または使用可能な状態にされるのではなく、単にシステム動作の始動からその機能が抑止されるのである。例えば、キーロック機能が使用可能にされた場合において、もしデータが非活性化コードに対応しない場合には、ＣＰＵ１０２は単純に手動入力装置からのデータを無視することができる。
【００２７】
先に延べたように、非活性化コードはシステム１００によって提供されるデフォルトコード（default  code）または使用者によりプログラムされるコードとすることができる。ステップ１６６において、キーロックプロセッサ１０４はまたキーロック機能が現在活性化されていることを示す通信文または符号を表示するためディスプレイ１２４を管理する。非活性化コードが使用者によってプログラムされている場合には、さらにこの非活性化コードをディスプレイ１２４に示すことができる。
【００２８】
ステップ１６８において、キーロックプロセッサは非活性化コードの受信を待つ。キーパッド１２０からの入力を受信すると、キーロックプロセッサ１０４は非活性化コードが受信されたかどうかを決定するであろう。もしそうでない場合には、キーロックプロセッサ１０４は、キーパッド１２０またはスイッチ１２２からのいかなる入力に対しても、システム１００の始動動作を阻止し続けるであろう。キーロックプロセッサ１０４により非活性化コードが最終的に検出された場合には、キーロック機能はステップ１７０において非活性化され、システム１００の動作は再開する。
【００２９】
例え以上の記載において本発明についての種々の実施形態および効果が述べられたとしても、上記開示は単なる事例となるべきものであり、詳細については変更可能であり、これらは依然として本発明の広い概念内に留まるものと理解されるべきである。それ故に、本発明は添付の特許請求の範囲にのみ限定されるべきものである。
【図１】
2010136451.tif 000003
【図２】
2010136451.tif 000004
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
無線通信装置であって、
使用者の操作を検知する手動入力装置と、ここでこの手動入力装置は機能抑止状態と使用可能状態を有し、
手動入力装置が自動的に機能抑止状態におかれる第１の条件および手動入力装置が使用可能状態におかれる第２の条件を規定する所定の限定要素を記録するメモリと、
所定の限定要素を受信し分析するためにメモリに接続されたプロセッサとを含み、ここでこのプロセッサは第１の条件が満足されたと決定した場合には自動的に手動入力装置を機能抑止状態におき、第２の条件が満足されたと決定した場合には手動入力装置を使用可能状態におき、そして
手動入力装置を使用可能にするための非活性化コードを表示するディスプレイとを含む、
無線通信装置。
【請求項２】
さらに、経過時間を測定するためのタイマを含み、第１の条件は経過時間が所定の時間を超えた場合に満足される請求項１に記載の無線通信装置。
【請求項３】
所定の時間は手動入力装置の操作により使用者によりプログラム可能でありそしてメモリに記録される請求項２に記載の無線通信装置。
【請求項４】
さらに、手動入力装置が機能抑止状態におかれた場合には第１のラベルを、手動入力装置が使用可能状態におかれた場合に第２のラベルを表示するためにプロセッサに接続されたディスプレイを含む請求項１に記載の無線通信装置。
【請求項５】
手動入力装置はキーパッドを含む請求項１に記載の無線通信装置。
【請求項６】
第２の条件を規定するメモリに記録された所定の限定要素はキーパッドによるキー打ちの所定のシーケンスを含む請求項５に記載の無線通信装置。
【請求項７】
キー打ちの所定のシーケンスはキーパッドの操作により使用者によりプログラム可能である請求項６に記載の無線通信装置。
【請求項８】
手動入力装置は使用者が回転可能なスイッチ機構を含む請求項１に記載の無線通信装置。
【請求項９】
手動入力装置は電源スイッチを含み、第１の条件は無線通信装置に電力が入ることにより満足される請求項１に記載の無線通信装置。
【請求項１０】
第１の条件は無線通信装置をハンドフリーアクセサリ受け台から取外すことにより満足され、そして第２の条件は無線通信装置をハンドフリーアクセサリ受け台に置くことにより満足される請求項１に記載の無線通信装置。
【請求項１１】
無線通信装置の手動入力装置の偶発的な動作を防止する方法であって、
使用者がプログラム可能な第１の条件が満足された場合に、無線通信装置の動作の始動に対し手動入力装置を自動的に機能抑止し、
手動入力装置を使用可能にするための非活性化コードをディスプレイに表示し、
第２の条件が満足された場合に、無線通信装置の動作を始動するための手動入力装置を使用可能にする方法。
【請求項１２】
手動入力を自動的に機能抑止するステップは、
無線通信装置が使用されていない状態にあるかどうかを決定し、
携帯電話が使用されていない状態に入った時からの経過時間を測定し、そして  経過時間が所定時間を超えた場合に、手動入力の機能を抑止するステップを含む
請求項１１に記載の方法。
【請求項１３】
所定時間は使用者によりプログラム可能である請求項１２に記載の方法。
【請求項１４】
手動入力装置を自動的に機能抑止するステップは、
無線通信装置に最初に電力が投入されると手動入力装置を直ちに機能抑止するステップを含む請求項１１に記載の方法。
【請求項１５】
ディスプレイを有する無線通信装置を使用する請求項１１に記載の方法であって、
この方法はさらに手動入力装置が自動的に機能抑止にされたことを示すラベルを表示するステップを含む方法。
【請求項１６】
手動入力装置としてキーパッドを有する無線通信装置を使用する請求項１１に記載の方法であって、
キーパッドを使用可能にするステップがキーパッドによるキー打ちの所定のシーケンスが提供されたかどうかを決定するステップを含む方法。
【請求項１７】
キー打ちの所定のシーケンスは使用者がプログラム可能である請求項１６に記載の方法
【請求項１８】
第１の条件は無線通信装置をハンドフリーアクセサリ受け台から取外すことにより満足され、そして第２の条件は無線通信装置をハンドフリーアクセサリ受け台に置くことにより満足される請求項１１に記載の方法。
【手続補正２】
【補正対象書類名】明細書
【補正対象項目名】００２９
【補正方法】変更
【補正の内容】
【００２９】
例え以上の記載において本発明についての種々の実施形態および効果が述べられたとしても、上記開示は単なる事例となるべきものであり、詳細については変更可能であり、これらは依然として本発明の広い概念内に留まるものと理解されるべきである。それ故に、本発明は添付の特許請求の範囲にのみ限定されるべきものである。  
以下に、本願出願の当初の特許請求の範囲に記載された発明を付記する。
［１］無線通信装置であって、
使用者の操作を検知する手動入力装置と、ここでこの手動入力装置は機能抑止状態と使用可能状態を有し、
手動入力装置が自動的に機能抑止状態におかれる第１の条件および手動入力装置が使用可能状態におかれる第２の条件を規定する所定の限定要素を記録するメモリと、そして
所定の限定要素を受信し分析するためにメモリに接続されたプロセッサとを含み、ここでこのプロセッサは第１の条件が満足されたと決定した場合には自動的に手動入力装置を機能抑止状態におき、第２の条件が満足されたと決定した場合には手動入力装置を使用可能状態におく
無線通信装置。
［２］さらに、経過時間を測定するためのタイマを含み、第１の条件は経過時間が所定の時間を超えた場合に満足される上記［１］に記載の無線通信装置。
［３］所定の時間は手動入力装置の操作により使用者によりプログラム可能でありそしてメモリに記録される上記［２］に記載の無線通信装置。
［４］さらに、手動入力装置が機能抑止状態におかれた場合には第１のラベルを、手動入力装置が使用可能状態におかれた場合に第２のラベルを表示するためにプロセッサに接続されたディスプレイを含む上記［１］に記載の無線通信装置。
［５］手動入力装置はキーパッドを含む上記［１］に記載の無線通信装置。
［６］第２の条件を規定するメモリに記録された所定の限定要素はキーパッドによるキー打ちの所定のシーケンスを含む上記［５］に記載の無線通信装置。
［７］キー打ちの所定のシーケンスはキーパッドの操作により使用者によりプログラム可能である上記［６］に記載の無線通信装置。
［８］手動入力装置は使用者が回転可能なスイッチ機構を含む上記［１］に記載の無線通信装置。
［９］手動入力装置は電源スイッチを含み、第１の条件は無線通信装置に電力が入ることにより満足される上記［１］に記載の無線通信装置。
［１０］第１の条件は無線通信装置をハンドフリーアクセサリ受け台から取外すことにより満足され、そして第２の条件は無線通信装置をハンドフリーアクセサリ受け台に置くことにより満足される上記［１］に記載の無線通信装置。
［１１］無線通信装置の手動入力装置の偶発的な動作を防止する方法であって、
使用者がプログラム可能な第１の条件が満足された場合に、無線通信装置の動作の始動に対し手動入力装置を自動的に機能抑止し、そして
第２の条件が満足された場合に、無線通信装置の動作を始動するための手動入力装置を使用可能にする方法。
［１２］手動入力を自動的に機能抑止するステップは、
無線通信装置が使用されていない状態にあるかどうかを決定し、
携帯電話が使用されていない状態に入った時からの経過時間を測定し、そして
経過時間が所定時間を超えた場合に、手動入力の機能を抑止するステップを含む
上記［１１］に記載の方法。
［１３］所定時間は使用者によりプログラム可能である上記［１２］に記載の方法。
［１４］手動入力装置を自動的に機能抑止するステップは、
無線通信装置に最初に電力が投入されると手動入力装置を直ちに機能抑止するステップを含む上記［１１］に記載の方法。
［１５］ディスプレイを有する無線通信装置を使用する上記［１１］に記載の方法であって、
この方法はさらに手動入力装置が自動的に機能抑止にされたことを示すラベルを表示するステップを含む方法。
［１６］手動入力装置としてキーパッドを有する無線通信装置を使用する上記［１１］に記載の方法であって、
キーパッドを使用可能にするステップがキーパッドによるキー打ちの所定のシーケンスが提供されたかどうかを決定するステップを含む方法。
［１７］キー打ちの所定のシーケンスは使用者がプログラム可能である上記［１６］に記載の方法。
［１８］第１の条件は無線通信装置をハンドフリーアクセサリ受け台から取外すことにより満足され、そして第２の条件は無線通信装置をハンドフリーアクセサリ受け台に置くことにより満足される上記［１１］に記載の方法。
【外国語明細書】
2010136451000001.pdf